(57)【要約】【課題】認知症の人が勝手に開けることができず、他の者による使用は至便に行える冷蔵庫の提供。【解決手段】内部を開放可能にするドア１３や引き出し１４，１４を備えた冷蔵庫であって、上記ドア１３や引き出し１４，１４を電気で施解錠する電気錠３１と、個人識別のための指紋の読み取り機４２を備えた生体認証装置と、該生体認証装置で取り込んだ生体情報をもとに許可者であるか否かを判別して、許可者である場合に電気錠３１を解錠する一方、許可者でない場合に上記電気錠３１を解錠しない、または許可者である場合に上記電気錠３１を施錠しない一方、許可者でない場合に上記電気錠３１を施錠する制御部を備えた冷蔵庫１１。【選択図】図１
2009198025.tif 000002
【特許請求の範囲】
【請求項１】
内部を開放可能にする開閉体を備えた食品貯蔵庫であって、
上記開閉体を電気で施解錠する電気錠と、
個人識別のための生体認証装置と、
該生体認証装置で取り込んだ生体情報を記憶部にあらかじめ記憶させておいた生体情報と照合して許可者であるか否かを判別して、許可者である場合に電気錠を解錠する一方、許可者でない場合に上記電気錠を解錠しない、または許可者である場合に上記電気錠を施錠しない一方、許可者でない場合に上記電気錠を施錠する制御手段を備えた
食品貯蔵庫。
【請求項２】
前記制御手段が、生体認証装置で読み取った生体情報が許可者のものであった場合に電気錠を解錠するものである
請求項１に記載の食品貯蔵庫。
【請求項３】
前記生体認証装置の読み取り機が、開閉体の取っ手部分に備えられた
請求項２に記載の食品貯蔵庫。
【請求項４】
前記制御手段が、解錠された電気錠を、あらかじめ設定された時間のあいだ解錠状態に保つものである
請求項２または請求項３に記載の食品貯蔵庫。
【請求項５】
前記制御手段が、生体認証装置で読み取った生体情報が許可者のものでなかった場合に電気錠を施錠するものである
請求項１に記載の食品貯蔵庫。
【請求項６】
前記電気錠が、磁力による吸着で開閉体の閉状態を保持する電磁錠である
請求項１から請求項５のうちのいずれか一項に記載の食品貯蔵庫。
【請求項７】
内部を開放可能にする開閉体を有する食品貯蔵庫に固定されて開閉体を電気で施解錠する電気錠と、
個人識別のための生体認証装置と、
該生体認証装置で取り込んだ生体情報を記憶部にあらかじめ記憶させておいた生体情報と照合して許可者であるか否かを判別して、許可者である場合に電気錠を解錠する一方、許可者でない場合に上記電気錠を解錠しない、または許可者である場合に上記電気錠を施錠しない一方、許可者でない場合に上記電気錠を施錠する制御手段とを備えた
食品貯蔵庫用施錠装置。
【発明の詳細な説明】
【技術分野】
【０００１】
この発明は、ドアや引き出しからなる開閉体を備えた冷蔵庫やシステムキッチン等の収納部などの食品貯蔵庫に関し、より詳しくは、認知症の人が勝手に開けられないような食品貯蔵庫に関する。
【背景技術】
【０００２】
冷蔵庫を開けられないようにするためには施錠装置（たとえば下記特許文献１参照）が用いられている。この施錠装置は、庫内食品の盗難を防止するためのもので、レストラン等の調理場に設置されるアンダーカウンター冷蔵庫用のものである。この施錠装置は、錠前を用いて施錠するもので、鍵を用いるため不便さはあるが、盗難防止を目的とするには不都合はない。
【０００３】
また、このような鍵を使用するのではなく、鍵を必要としないキーレス錠により施錠する冷蔵庫も古くから提案されている（たとえば下記特許文献２参照）。この冷蔵庫は、テンキーにより所定のコードが入力された場合に解錠ができるようにしたものである。
【０００４】
これらのように、錠により強固なロック状態を得る本格的なものがある一方で、ロックの目的が子どものいたずら防止・子どもの保護である場合には、下記特許文献３に開示されたような、扉の開放防止具が用いられている。
【０００５】
この扉の開放防止具は、扉等の開閉体と本体との間にバンド状の接続部材がまたがるように掛け渡されて開閉体の開放を防止するものである。バンド状の接続部材の引っ張りに対する抵抗力で開放を防ぐものではあるが、対象が非力な子どもであるので、十分に機能する。
【０００６】
しかし近年、認知症の人が急増しているなか、冷蔵庫に対しても、認知症の人によって勝手に開けられることを防止する必要が生じてきた。
【０００７】
認知症の人は食べてもたべても何か食べたい欲求に駆られるのか、たとえ生肉であっても、冷蔵庫の中のものは何でも食べられてしまう。これは、認知症の人の健康に悪いばかりでなく、家や施設内の他の人間の食料がなくなるという問題がある。さらに、食品を保存しておく冷蔵庫ではあるが、冷蔵庫には食品以外のもの、たとえば薬なども入れてあることが多いので、認知症の人に危険な場合もある。
【０００８】
しかも、認知症の人は自分で片付けるということをしないので、家や施設の者にとっても大変な労力がかかる。家庭内での介護には身体的にも精神的にも負担が大きいのにもかかわらず、このような労力までかかると、家庭内での介護をより一層困難にするだけである。
【０００９】
なお、ガスコンロ等の機械装置に用いられる認知症を対象にしたロック装置が提案されている（下記特許文献４）が、これは、認知症の人にとって困難とされている操作をさせ、これができたときに解錠させるというものである。つまり、装置側から出力された適宜のパターンをその通りに入力させ、これが出来たときにロックを解除する。
【００１０】
しかし、冷蔵庫に対しては、必要なものを必要なときにすぐに取り出したい要求があり、頻繁な開け閉めも必要である。さらに、冷蔵庫が食品や氷を保存するものであることから、冷蔵庫を開けるときが体調のよくないときである場合もあって、上記の特許文献４に開示された装置を冷蔵庫に用いることはできない。
【００１１】
とはいえ、上記のような特許文献１や２に開示された装置を用いることも、上述のように必要なものを必要なときにすぐに取り出したいことが多々あり、頻繁な開け閉めも必要であることから、非現実的である。また、特許文献３のような開放防止具を用いても、認知症の人はバンド状の接続部材を力任せに引きちぎってしまうので、認知症の人には効果がない。
【００１２】
【特許文献１】特許第３１１８２７９号公報
【特許文献２】特開昭６４−１００８８号公報
【特許文献３】登録実用新案第３０５６９８３号公報
【特許文献４】特開２００４−６８５３８号公報
【発明の開示】
【発明が解決しようとする課題】
【００１３】
上述のように、これまで、認知症の人が勝手に開けないようにするのに適した食品貯蔵庫やそのための装置はなかった。
【００１４】
そこで、この発明は、認知症の人が勝手に開けることができず、しかも他の者による使用は至便に行えるようにすることを主たる目的とする。
【課題を解決するための手段】
【００１５】
そのための手段は、内部を開放可能にする開閉体を備えた食品貯蔵庫であって、上記開閉体を電気で施解錠する電気錠と、個人識別のための生体認証装置と、該生体認証装置で取り込んだ生体情報を記憶部にあらかじめ記憶させておいた生体情報と照合して許可者であるか否かを判別して、許可者である場合に電気錠を解錠する一方、許可者でない場合に上記電気錠を解錠しない、または許可者である場合に上記電気錠を施錠しない一方、許可者でない場合に上記電気錠を施錠する制御手段を備えた食品貯蔵庫である。
【００１６】
生体認証装置が取り込んだ生体情報と、あらかじめ記憶された者の生体情報との関係で許可者でないと判断したときに制御手段が電気錠を解錠しない、または施錠し、許可者以外の者が開閉体を開くことを阻止する。許可者は、記憶部に記憶された生体情報の主と同一である場合も、それ以外の者である場合もある。
【００１７】
上記制御手段は、生体認証装置で読み取った生体情報が許可者のものであった場合に電気錠を解錠するものであるも、生体認証装置で読み取った生体情報が非許可者のものでなかった場合に電気錠を施錠するものであるもよい。前者の場合には、常態において施錠していることになり、後者の場合には常態において解錠していることになる。
【００１８】
また上記電気錠は、磁力による吸着で開閉体の閉状態を保持する電磁錠であるとよい。瞬時に施解錠ができ、しかも強力な閉鎖が可能である。
【００１９】
別の手段は、内部を開放可能にする開閉体を有する食品貯蔵庫に固定されて開閉体を電気で施解錠する電気錠と、個人識別のための生体認証装置と、該生体認証装置で取り込んだ生体情報を記憶部にあらかじめ記憶させておいた生体情報と照合して許可者であるか否かを判別して、許可者である場合に電気錠を解錠する一方、許可者でない場合に上記電気錠を解錠しない、または許可者である場合に上記電気錠を施錠しない一方、許可者でない場合に上記電気錠を施錠する制御手段とを備えた食品貯蔵庫用施錠装置である。
【発明の効果】
【００２０】
以上のように、この発明によれば、生体認証装置が取り込んだ生体情報に基づく許可者であるか否かによる判別と、電気錠による施解錠とにより、許可者以外の者が開閉体を勝手に開けないようにすることができる。しかも、施解錠には電気錠を用いているので、力任せに開けようとしても開けられない強固な施錠状態を得られる。そのうえ電気錠は、施解錠の動作が迅速であり、様々な条件設定も自由に行えるので、許可者に使用しやすい食品貯蔵庫とすることができる。
【発明を実施するための最良の形態】
【００２１】
この発明を実施するための一形態を、以下図面を用いて説明する。  
図１は、認知症の人が開けることができないようにした、食品貯蔵庫の一例としての冷蔵庫１１の斜視図であり、本体１２と、これに取り付けられて内部を開放可能にする開閉体として１個のドア１３と２個の引き出し１４，１４を有し、それぞれに施錠のための施錠装置２１が備えられている。
【００２２】
施錠装置２１は、図２のブロック図に示したように、ドア１３と引き出し１４，１４を電気で施解錠する電気錠３１と、個人識別のための生体認証装置４１と、この生体認証装置４１で読み取った生体情報に基づいて許可者であると判断したときに電気錠３１を解錠し、または施錠しないようにする制御部５１とを有する。
【００２３】
上記の電気錠３１は、図３、図４に示したように、通電によりソレノイドが作動して施錠と解錠を繰り返す構造のもので、ドア１３や引き出し１４，１４に内蔵されている。
【００２４】
そして、ソレノイドの作動によって駆動する係合部３２は、本体１２に設けられた被係合部３３に係脱し、係合時に施錠状態となる。
【００２５】
ドア１３に設けられた電気錠３１の場合には、プランジャの上下方向での進退により駆動する棒状の係合部３２ａが、本体１２の上部に形成されてドア１３の上面側を覆う庇状の部分の下面に設けられた凹状の被係合部３３ａに突き刺さった状態になって係合し、ドア１３の開きを防止する。
【００２６】
引き出しに設けられた電気錠３１の場合には、プランジャの左右方向での進退により駆動する鉤状の係合部３２ｂが、本体１２の前面における電気錠３１と対向する位置に設けられた凹状の被係合部３３ｂに引っ掛かった状態になって係合し、引き出し１４の開きを防止する。
【００２７】
電気錠３１には、モータ式のものを使用することもできる。
【００２８】
また、このような電気錠３１には、通電時に解錠されて非通電時に施錠状態となる通電時解錠型のものを使用することも、通電時に施錠されて非通電時に解錠状態となる通電時施錠型のものを使用することも、さらには、これら両方のいずれかを切り替えにより選択できるものを使用することもできる。
【００２９】
上記の生体認証装置４１はユーザの認証を行うもので、指紋を用いたものを使用するのが、コストや小型化等の点で好ましい。指紋を用いた生体認証装置４１は、周知の構成からなり、指紋を読む読み取り機４２と、読み取り機４２で読み取られた生体情報を記憶する生体情報記憶部４３を有する。
【００３０】
読み取り機４２は、冷蔵庫１１の表面に露出するように取り付けられる。取り付け位置は適宜設定されるが、電気錠３１が通電時解錠型の場合には、特に、図１、図３、図４に示したように、ドア１３や引き出し１４の取っ手部分１３ａ，１４ａにおける、ドア１３や引き出し１４を開けるときに手が自然と触れる部分に取り付けられる。取っ手１３ａ，１４ａに手をかける自然な一連の動作で解錠が行えるからである。
【００３１】
生体情報記憶部４３には、あらかじめ必要な生体情報を、読み取り機４２を用いて登録しておく。登録しておく生体情報は、冷蔵庫１１の開閉をしてもよい許可者のものであるも、冷蔵庫１１の開閉を許可しない認知症の人のものであるもよい。前者の場合には、認証時に読み取った指紋の生体情報が、生体情報記憶部４２に記憶された生体情報と照合して一致した場合に、読み取った指紋を持つ人間が許可者であると判断され、正当なユーザとして認証される。後者の場合には、認証時に読み取った指紋の生体情報が生体情報記憶部４２に記憶された生体情報と一致した場合に、読み取った指紋を持つ人間が非許可者であると判断され、正当なユーザでないと認証される。なお、読み取った指紋の生体情報が生体情報記憶部４３に記憶した生体情報と一致しないことを条件に許可者か否かを判断するようにしてもよい。
【００３２】
上記の制御部５１は、たとえばＣＰＵ、ＲＯＭ、ＲＡＭで構成し、ＲＡＭを一時記憶装置として利用し、ＲＯＭに格納されたプログラムに従ってＣＰＵを駆動制御する。この制御部５１では、生体認証装置４１の読み取り機４２で取り込んだ指紋に基づく生体情報を生体情報記憶部４３にあらかじめ記憶させておいた生体情報と照合して許可者であるか否かを判別して、許可者である場合に電気錠３１を解錠する一方、許可者でない場合に上記電気錠３１を解錠しない、または許可者である場合に上記電気錠３１を施錠しない一方、許可者でない場合に上記電気錠３１を施錠する。
【００３３】
制御部５１による制御動作の具体例を、つぎに説明する。  
まず、電気錠３１が通電時解錠型のものである場合に好適な例について説明する。この場合には、通電した時に解錠がなされるので、生体認証装置４１を用いた判断においては許可者を効果的に判断する必要がある。このため、生体情報記憶部４３には、認知症の人以外の者であって冷蔵庫１１を使用する人間の生体情報を記憶しておき、認証時に読み取った生体情報が記憶された生体情報と一致するときに許可者と判断するとよい。
【００３４】
すなわち制御部５１は、認証時に読み取り機４２で読み取られた生体情報を入力するとともに、生体情報記憶部４３に記憶された生体情報を適宜読み出して、入力された生体情報と照合して、一致した場合に、その生体情報の主が許可者であると判断して電気錠３１に解錠信号としての通電を行い、解錠をする。通電は、制御部５１に内蔵されたタイマによる計時によって、あらかじめ設定された所定の時間なされる。つまり所定の時間、解錠状態が保たれる。このため、開放するたびに解錠する必要がない。この所定の時間は、冷蔵庫を使用するときに食料の投入や食料の出し入れ、調理に伴う食料の出し入れに必要な適宜の時間、たとえば１０分、２０分などと設定される。この間に、解錠をした人間と別の人間の生態情報が生体認証装置４１で読み取られたとき、その生体情報の主が許可者でないと判断されて通電は遮断され、施錠がなされる。
【００３５】
一方、一致しない場合には、その生体情報の主が許可者でないと判断して通電をせず、施錠状態を維持する。
【００３６】
このため、許可者でない認知症の人は冷蔵庫１１を開けることができない。他方、許可者は、常態で施錠状態になっている冷蔵庫１１をいつでもすぐさま解錠して、自由に使用できる。読み取り機４２を図１に示したようにドア１３や引き出し１４の取っ手１３ａ，１４ａに取り付けておけば、上記の所定時間がたったあとの開閉も容易である。
【００３７】
また、生体情報記憶部４３には、認知症の人の生体情報を記憶しておき、認証時に読み取った生体情報が記憶された生体情報と一致しないときに許可者と判断することもできる。
【００３８】
すなわち制御部５１は、認証時に読み取り機４２で読み取られた生体情報を入力するとともに、生体情報記憶部４３に記憶された生体情報を適宜読み出して、入力された生体情報と照合して、一致しない場合に、その生体情報の主が許可者であると判断して電気錠３１に解錠信号としての通電を行い、解錠をする。通電は、制御部５１に内蔵されたタイマによる計時によって、あらかじめ設定された所定の時間なされる。つまり所定の時間、解錠状態が保たれる。このため、開放のたびに解錠する必要がない。この所定の時間は、冷蔵庫を使用するときに食料の投入や食料の出し入れ、調理に伴う食料の出し入れに必要な適宜の時間、たとえば１０分、２０分などと設定される。この間に、解錠した人間とは別の人間の生体情報が生体認証装置４１で読み取られたとき、生体情報の主が許可者でないと判断されて通電は遮断され、施錠がなされる。
【００３９】
一方、一致する場合には、その生体情報の主が許可者でないと判断して通電をせず、施錠状態を維持する。
【００４０】
このため、許可者でない認知症の人は冷蔵庫１１を開けることができない。他方、許可者は、常態で施錠状態になっている冷蔵庫をいつでもすぐさま解錠して、自由に使用できる。
【００４１】
つぎに、電気錠３１が通電時施錠型のものである場合に好適な例について説明する。この場合には、通電した時に施錠がなされるので、生体認証装置４１を用いた判断においては許可者でないものを効果的に判断する必要がある。このため、生体情報記憶部４３には、認知症の人の生体情報を記憶しておき、認証時に読み取った生体情報が記憶された生体情報と一致するときに許可者でない者と判断するとよい。
【００４２】
すなわち制御部５１は、認証時に読み取り機４２で読み取られた生体情報を入力するとともに、生体情報記憶部４３に記憶された生体情報を適宜読み出して、入力された生体情報と照合して、一致した場合に、その生体情報の主が許可者でないと判断して電気錠３１に施錠信号としての通電を行い、施錠をする。通電は、制御部５１に内蔵されたタイマによる計時によって、あらかじめ設定された所定の時間なされる。つまり所定の時間、施錠状態が保たれる。このため、一度施錠されると所定の時間、開放できない。この所定の時間は、認知症の人が冷蔵庫１１を開けるのをあきらめる適宜の時間、たとえば５分、１０分などと設定される。この間に、施錠した人間と別の人間の生体情報が生体認証装置４１で読み取られたとき、その生体情報の主が許可者であると判断されて通電は遮断され、解錠がなされる。
【００４３】
一方、一致しない場合には、その生体情報の主が許可者であると判断して通電をせず、解錠状態を維持する。
【００４４】
このため、許可者でない認知症の人は冷蔵庫１１を開けることができない。他方、許可者は、読み取り機４２で生体情報を読み取られても施錠がされないので、常態で解錠状態になっている冷蔵庫１１をいつでも自由に使用できる。頻繁な開閉も可能である。
【００４５】
また、生体情報記憶部４３には、認知症の人以外の者であって冷蔵庫１１を使用する人間の生体情報を記憶しておき、認証時に読み取った生体情報が記憶された生体情報と一致しないときに許可者でない者と判断することもできる。
【００４６】
すなわち制御部５１は、認証時に読み取り機４２で読み取られた生体情報を入力するとともに、生体情報記憶部４３に記憶された生体情報を適宜読み出して、入力された生体情報と照合して、一致しない場合に、その生体情報の主が許可者でないと判断して電気錠３１に施錠信号としての通電を行い、施錠をする。通電は、制御部５１に内蔵されたタイマによる計時によって、あらかじめ設定された所定の時間なされる。つまり所定の時間、施錠状態が保たれる。このため、一度施錠されると、所定の時間、開放できない。この所定の時間は、認知症の人が冷蔵庫１１を開けるのをあきらめる適宜の時間、たとえば５分、１０分などと設定される。この間に、施錠をした人間と別の人間の生体情報が生体認証装置４１で読み取られたとき、生体情報の主が許可者であると判断されて通電は遮断され、解錠がなされる。
【００４７】
一方、一致しない場合には、その生体情報の主が許可者であると判断して通電をせず、解錠状態を維持する。
【００４８】
このため、許可者でない認知症の人は冷蔵庫１１を開けることができない。他方、許可者は、読み取り機４２で生体情報を読み取られても施錠がされないので、常態で解錠状態になっている冷蔵庫をいつでも自由に使用できる。頻繁な開閉も可能である。
【００４９】
このように構成された冷蔵庫１１では、許可者でない認知症の人は電気錠が施錠されていることによって冷蔵庫１１を開けることができないが、許可者は自由に冷蔵庫１１を使用することができる。
【００５０】
しかも、施錠は電気錠３１によってなされるので、無理に引っ張っても外れない強固な施錠が可能であり、認知症の人が力任せに引っ張っても開かないようにすることができる。
【００５１】
また、電気錠３１は施解錠の動作が迅速であるため、実効性が高く、たとえば通電時施錠型の電気錠３１を用いて許可者以外の者を検知したときに施錠がなされるようにした場合でも、ドア１３や引き出し１４，１４が開放されてしまうことを確実に防止できる。
【００５２】
そのうえ、電気錠３１の施解錠の条件は様々に設定できるので、許可者に使用しやすく、開放阻止の実効性の高い冷蔵庫１１を得ることができる。
【００５３】
つまり、認知症の人が冷蔵庫１１を勝手に開けてほしくないときというのは、家庭環境や認知症の人の性質等によっても異なるが比較的限定されているので、その時だけ施錠ができればよい。たとえば、認知症の人を一人に外出する時、就寝時、掃除などで認知症の人から目を離すときなどである。このような時だけ、施錠により確実に冷蔵庫１１の開放が防止できるようにしておけばよいので、制御部５１で上記のように制御動作がなされれば、確実な開放防止を行うことができる。
【００５４】
また、施錠装置２１は開閉体（ドア１３、引き出し１４）ごとに設けられているので、勝手にあけられては困るところだけに、必要に応じて上述の機能をもたせることができる。必要であれば、生体認証装置２１の一度の認証ですべての開閉体が施解錠するようにするもよい。
【００５５】
さらに、このような勝手な開閉を防止できる施錠装置２１を備えることで、使用者の意識の中に、不要な開閉を抑制させる働きが生まれ、電気代の浪費を抑えるようにすることにも資する。
【００５６】
以下、その他の例について説明する。この説明において、上記の構成と同一または同等の部位については同一の符号を付してその詳しい説明を省略する。
【００５７】
図５、図６は、電気錠３１として、磁力による吸着で開閉体の閉状態を保持する電磁錠３１ａを用いた例を示す。図５は、ドア１３に取り付けられた電磁錠３１ａで、図６は、引き出し１４に取り付けられた電磁錠３１ａを示す。図中、１５はドアパッキングで、ドアパッキング１５にはラバーマグネット（図示せず）が保持され、本体１２の前面におけるドアパッキング１５が対向する部分は磁着性を有するので、特に金属板を保持する必要はない。
【００５８】
このような電磁錠３１ａを用いた場合には、瞬時に施解錠がなされるので、開放防止の効果は確実である。しかも、電磁錠は強力な磁力で吸着するので、開放阻止の効果も確実である。
【００５９】
図７は、既存の冷蔵庫に取り付ける施錠装置２１の一部を示す斜視図である。すなわち、電磁錠３１ａは、薄い直方体状に形成され、ドア１３または引き出し１４の上端面に固定される。固定は、両面粘着テープなどで行うもよいが、図７に示したように、貫通孔３４ａを有する固定片３４を突設して、ねじ３５により強固に固定するとよい。
【００６０】
図示はしないが、読み取り機４２は適宜位置に固定され、読み取り機４２と電磁錠３１ａを接続するコード２２は、剥ぎ取られないように、たとえば粘着テープ（図示せず）で上から覆ってしっかりと留めておけばよい。
【００６１】
この発明の構成と、上記の一形態との構成との対応において、  
この発明の食品貯蔵庫は、上記の冷蔵庫１１に対応し、  
以下同様に、  
開閉体は、ドア１３、引き出し１４に対応し、  
電気錠は、電気錠３１、電磁錠３１ａに対応し、  
記憶部は、生体情報記憶部４３に対応し、  
制御手段は、制御部５１に対応し、  
冷蔵庫用施錠装置は、施錠装置２１に対応するも、  
この発明は、上記の構成のみに限定されるものではなく、その他の形態を採用することができる。
【００６２】
たとえば、食品貯蔵庫は、冷蔵庫のほかに、たとえばシステムキッチンや食器棚等の収納部（収納庫や収納棚）などの食品を収納する可能性のある部分であるもよい。システムキッチン等の場合には、酒や醤油、油などの食品のほかに洗剤などを収納することも多く、高い効果が期待できる。
また、解錠状態または施錠状態であることを示す表示ランプを備えれば、使用に便利である。
【図面の簡単な説明】
【００６３】
【図１】冷蔵庫の斜視図。
【図２】施錠装置のブロック図。
【図３】要部の断面図。
【図４】要部の断面図。
【図５】他の例に係る冷蔵庫の要部の断面図。
【図６】他の例に係る冷蔵庫の要部の断面図。
【図７】他の例に係る施錠装置の要部の斜視図。
【符号の説明】
【００６４】
１１…冷蔵庫
１２…本体
１３…ドア
１４…引き出し
１３ａ，１４ａ…取っ手部分
２１…施錠装置
３１…電気錠
３１ａ…電磁錠
４１…生体認証装置
４２…読み取り機
４３…生体情報記憶部
５１…制御部
【図１】
2009198025.tif 000003
【図２】
2009198025.tif 000004
【図３】
2009198025.tif 000005
【図４】
2009198025.tif 000006
【図５】
2009198025.tif 000007
【図６】
2009198025.tif 000008
【図７】
2009198025.tif 000009